(57)【要約】【課題】  従来の無線ＬＡＮ通信機器ではインフラストラクチャ接続を実現するための構成およびコストが、通信手段が１つの場合に比較して多かった。【解決手段】  接続先の無線ＬＡＮ通信装置が接続する無線ＬＡＮアクセスポイントのインフラストラクチャ接続情報をアドホック接続により前記接続先の無線ＬＡＮ通信装置から受信する手段と、前記インフラストラクチャ接続情報にもとづき前記無線ＬＡＮアクセスポイントにインフラストラクチャ接続する手段とを備える。【選択図】      図６
2014068320.tif 000002
【特許請求の範囲】
【請求項１】
接続先の無線ＬＡＮ通信装置が接続する無線ＬＡＮアクセスポイントのインフラストラクチャ接続情報をアドホック接続により前記接続先の無線ＬＡＮ通信装置から受信する手段と、
前記インフラストラクチャ接続情報にもとづき前記無線ＬＡＮアクセスポイントにインフラストラクチャ接続する手段と
を備えることを特徴とする無線ＬＡＮ通信装置。
【請求項２】
自身が接続する無線ＬＡＮアクセスポイントのインフラストラクチャ接続情報をアドホック接続により接続先の無線ＬＡＮ通信装置に送信する手段と、
前記インフラストラクチャ接続情報にもとづき前記無線ＬＡＮアクセスポイントにインフラストラクチャ接続する手段と
を備えることを特徴とする無線ＬＡＮ通信装置。
【請求項３】
接続先の無線ＬＡＮ通信装置が接続する第１の無線ＬＡＮアクセスポイントの第１のインフラストラクチャ接続情報をアドホック接続により前記接続先の無線ＬＡＮ通信装置から受信する手段と、
前記第１のインフラストラクチャ接続情報にもとづき前記第１の無線ＬＡＮアクセスポイントにインフラストラクチャ接続する手段と、
自身が接続する第２の無線ＬＡＮアクセスポイントの第２のインフラストラクチャ接続情報をアドホック接続により接続先の無線ＬＡＮ通信装置に送信する手段と、
前記第２のインフラストラクチャ接続情報にもとづき前記第２の無線ＬＡＮアクセスポイントにインフラストラクチャ接続する手段と
を備えることを特徴とする無線ＬＡＮ通信装置。
【請求項４】
請求項１に記載の無線ＬＡＮ通信装置を含む第１の無線ＬＡＮ通信装置と、
請求項２に記載の無線ＬＡＮ通信装置を含む第２の無線ＬＡＮ通信装置と、
無線ＬＡＮアクセスポイント装置と
を含み、
前記第１の無線ＬＡＮ通信装置の前記接続先の無線ＬＡＮ通信装置は前記第２の無線ＬＡＮ通信装置であり、前記第２の無線ＬＡＮ通信装置の前記接続先の無線ＬＡＮ通信装置は前記第１の無線ＬＡＮ通信装置であり、前記無線ＬＡＮアクセスポイント装置は前記無線ＬＡＮアクセスポイントであることを特徴とする無線ＬＡＮ通信システム。
【請求項５】
請求項３に記載の無線ＬＡＮ通信装置を含む第１の無線ＬＡＮ通信装置と、
請求項３に記載の無線ＬＡＮ通信装置を含む第２の無線ＬＡＮ通信装置と、
無線ＬＡＮアクセスポイント装置と
を含み、
前記第１の無線ＬＡＮ通信装置の前記接続先の無線ＬＡＮ通信装置は前記第２の無線ＬＡＮ通信装置であり、前記第２の無線ＬＡＮ通信装置の前記接続先の無線ＬＡＮ通信装置は前記第１の無線ＬＡＮ通信装置であり、前記無線ＬＡＮアクセスポイント装置は前記第１の無線ＬＡＮアクセスポイント、あるいは前記第２の無線ＬＡＮアクセスポイントであることを特徴とする無線ＬＡＮ通信システム。
【請求項６】
接続先の無線ＬＡＮ通信装置が接続する無線ＬＡＮアクセスポイントのインフラストラクチャ接続情報をアドホック接続により前記接続先の無線ＬＡＮ通信装置から受信する工程と、
前記インフラストラクチャ接続情報にもとづき前記無線ＬＡＮアクセスポイントにインフラストラクチャ接続する工程と
を備えることを特徴とする無線ＬＡＮ通信方法。
【請求項７】
自身が接続する無線ＬＡＮアクセスポイントのインフラストラクチャ接続情報をアドホック接続により接続先の無線ＬＡＮ通信装置に送信する工程と、
前記インフラストラクチャ接続情報にもとづき前記無線ＬＡＮアクセスポイントにインフラストラクチャ接続する工程と
を備えることを特徴とする無線ＬＡＮ通信方法。
【請求項８】
接続先の無線ＬＡＮ通信装置が接続する第１の無線ＬＡＮアクセスポイントの第１のインフラストラクチャ接続情報をアドホック接続により前記接続先の無線ＬＡＮ通信装置から受信する工程と、
前記第１のインフラストラクチャ接続情報にもとづき前記第１の無線ＬＡＮアクセスポイントにインフラストラクチャ接続する工程と、
自身が接続する第２の無線ＬＡＮアクセスポイントの第２のインフラストラクチャ接続情報をアドホック接続により接続先の無線ＬＡＮ通信装置に送信する工程と、
前記第２のインフラストラクチャ接続情報にもとづき前記第２の無線ＬＡＮアクセスポイントにインフラストラクチャ接続する工程と
を備えることを特徴とする無線ＬＡＮ通信方法。
【発明の詳細な説明】
【技術分野】
【０００１】
本発明は、無線ＬＡＮ通信装置(Local Area Network)、システム、および方法に関する。
【背景技術】
【０００２】
従来より、無線ＬＡＮ接続機能を主に備える接続機器と被接続機器は、通常、無線ＬＡＮアクセスポイントを介して接続されている（インフラストラクチャ接続）。
【０００３】
このためには次のような方法が採用されている。
【０００４】
すなわち、接続機器を被接続機器に接続させる場合、先ず、被接続機器が複数の無線ＬＡＮアクセスポイントの内のどれに接続されているかを調べる。次に、被接続機器が接続されている無線ＬＡＮアクセスポイントに設定されるＳＳＩＤ（Service Set Identifier）、暗号化規格・プロトコル・キーなどの情報（以下、インフラストラクチャ接続情報と呼ぶ）を入手する。そして、接続機器にそのインフラストラクチャ接続情報を入力し、その無線ＬＡＮアクセスポイントに接続機器を接続させる。
【０００５】
しかしながら、このような作業は、煩雑であり、また、無線ＬＡＮに不案内なユーザに容易でないという問題がある。
【０００６】
この問題を解決する技術として、特許文献１に開示された携帯端末がある。
【０００７】
この携帯端末は、第２の携帯端末とアクセスポイントを介して接続されている。そして、無線ＬＡＮ通信のインフラストラクチャモードとアドホックモードの接続モードを有する第１の通信手段、および無線ＬＡＮ通信以外の通信を行う第２の通信手段を備える。この携帯端末は、第２の通信手段により第２の携帯端末から第２の携帯端末の無線ＬＡＮ通信中の接続モード及び第２の携帯端末の無線ＬＡＮ通信中のアクセスポイントのＩＤを受信する。当該接続モードがインフラストラクチャモードであれば、第１の通信手段をインフラストラクチャモードに設定する。さらに、ＩＤのアクセスポイントに接続要求を行って接続可能のときには、当該アクセスポイントを介して第２の携帯端末との間でインフラストラクチャモードによる接続を行う。
【０００８】
一般的な無線ＬＡＮ通信機器は、１つの通信手段でインフラストラクチャモードまたはアドホックモードの接続モードで無線ＬＡＮ通信を行う。しかし、特許文献１の技術では、第２の携帯端末からアクセスポイントのＳＳＩＤを受信するために、ＣＤＭＡ通信などの別の通信を行っている。このため、無線ＬＡＮ通信以外の通信を行うＣＤＭＡ通信部などの第２の通信手段が設けられている。
【先行技術文献】
【特許文献】
【０００９】
【特許文献１】特開２０１０−２８８２０８号公報
【発明の概要】
【発明が解決しようとする課題】
【００１０】
上述の特許文献１の技術においては、無線ＬＡＮ通信機器の回路、部品、制御部での処理、さらに、製造工数、保守部品、保守工数、およびこれらに伴うコストが、通信手段が１つの場合に比較して多くなるという課題がある。
【００１１】
本発明の目的は、これらの課題を解決した無線ＬＡＮ通信装置、システム、および方法を提供することにある。
【課題を解決するための手段】
【００１２】
上記の課題を解決するため、本発明の無線ＬＡＮ通信装置は、接続先の無線ＬＡＮ通信装置が接続する無線ＬＡＮアクセスポイントのインフラストラクチャ接続情報をアドホック接続により前記接続先の無線ＬＡＮ通信装置から受信する手段と、前記インフラストラクチャ接続情報にもとづき前記無線ＬＡＮアクセスポイントにインフラストラクチャ接続する手段とを備えている。
【００１３】
また、本発明の無線ＬＡＮ通信方法は、接続先の無線ＬＡＮ通信装置が接続する無線ＬＡＮアクセスポイントのインフラストラクチャ接続情報をアドホック接続により前記接続先の無線ＬＡＮ通信装置から受信する工程と、前記インフラストラクチャ接続情報にもとづき前記無線ＬＡＮアクセスポイントにインフラストラクチャ接続する工程とを備えている。
【発明の効果】
【００１４】
本発明によれば、無線ＬＡＮ通信機器の通信インターフェイスを１つにできるので、無線ＬＡＮ通信機器の回路、部品、制御部での処理、さらに、製造工数、保守部品、保守工数、およびこれらに伴うコストを削減することが可能となる。
【図面の簡単な説明】
【００１５】
【図１】本発明の第１の実施の形態におけるネットワークの構成を示す図である。
【図２】本発明の第１の実施の形態における詳細なネットワーク構成を示す図である。
【図３】本発明の第１の実施の形態における動作を示す図である。
【図４ａ】本発明の第１の実施の形態における動作を示す図である（その2）。
【図４ｂ】本発明の第１の実施の形態における動作を示す図である（その3）。
【図４ｃ】本発明の第１の実施の形態における動作を示す図である（その4）。
【図４ｄ】本発明の第１の実施の形態における動作を示す図である（その5）。
【図５ａ】本発明の第２の実施の形態における動作を示す図である。
【図５ｂ】本発明の第２の実施の形態における動作を示す図である（その2）。
【図５ｃ】本発明の第２の実施の形態における動作を示す図である（その3）。
【図５ｄ】本発明の第２の実施の形態における動作を示す図である（その4）。
【図５ｅ】本発明の第２の実施の形態における動作を示す図である（その5）。
【図６】本発明の第３の実施の形態におけるネットワークの構成を示す図である。
【発明を実施するための形態】
【００１６】
本発明の第１の実施の形態について、図面を参照して詳細に説明する。
【００１７】
図１は本発明の第１の実施の形態におけるネットワーク構成を示す図である。
【００１８】
本ネットワークは、無線ＬＡＮ機能を有する被接続機器１００および接続機器１１０と、被接続機器１００と接続機器１１０を無線ＬＡＮで接続するための無線ＬＡＮアクセスポイントＡ  １２０を含む。
【００１９】
被接続機器１００は、ネットワークインターフェイス部１０１と、接続管理アプリケーション１０２とを備えている。
【００２０】
接続機器１１０は、ネットワークインターフェイス部１１１と、接続管理アプリケーション１１２とを備えている。
【００２１】
図２は本発明の第１の実施の形態における詳細なネットワーク構成を示す図である。
【００２２】
接続管理アプリケーション１０２は、無線ＬＡＮ接続制御部２０１と、インフラストラクチャ接続情報管理部２０２と、アドホック接続情報管理部２０３とを備えている。
【００２３】
インフラストラクチャ接続情報管理部２０２は、無線ＬＡＮ接続制御部２０１と通信して、無線ＬＡＮアクセスポイントＡ  １２０とのインフラストラクチャ接続での無線ＬＡＮ接続を行うための情報を保存、通知する。
【００２４】
アドホック接続情報管理部２０３は、無線ＬＡＮ接続制御部２０１と通信して、接続機器１１０とのアドホック接続での無線ＬＡＮ接続を行うための情報を保存、通知する。
【００２５】
無線ＬＡＮ接続制御部２０１は、インフラストラクチャ接続情報管理部２０２と通信して、無線ＬＡＮアクセスポイントＡ  １２０との接続に必要なインフラストラクチャ接続情報を取得、保存する。無線ＬＡＮ接続制御部２０１は、また、アドホック接続情報管理部２０３と通信して、接続機器１１０との接続に必要なアドホック接続情報（アドホック接続するために接続機器／被接続機器に設定するＳＳＩＤなどの情報）を取得、保存する。また、無線ＬＡＮ接続制御部２０１は、ネットワークインターフェイス部１０１を、無線ＬＡＮアクセスポイントＡ  １２０および接続機器１１０と無線ＬＡＮ接続させる。このため、無線ＬＡＮ接続制御部２０１は、無線ＬＡＮ接続／切断要求を送信し、かつ、被接続機器１００のネットワーク（インフラストラクチャ／アドホック）接続情報を送受信するために、接続機器１１０とネットワーク接続情報／ネットワーク接続状態を通信する。無線ＬＡＮ接続制御部２０１は、また、接続機器１１０とのネットワーク接続結果を送受信するため、無線ＬＡＮアクセスポイントＡ  １２０とインフラストラクチャ接続情報／ネットワーク接続状態を通信する。
【００２６】
接続管理アプリケーション１１２は、無線ＬＡＮ接続制御部２１１と、インフラストラクチャ接続情報管理部２１２と、アドホック接続情報管理部２１３とを備えている。
【００２７】
インフラストラクチャ接続情報管理部２１２は、無線ＬＡＮ接続制御部２１１と通信して、無線ＬＡＮアクセスポイントＡ  １２０とのインフラストラクチャ接続での無線ＬＡＮ接続を行うための情報を保存、通知する。
【００２８】
アドホック接続情報管理部２１３は、無線ＬＡＮ接続制御部２１１と通信して、被接続機器１００とのアドホック接続での無線ＬＡＮ接続を行うための情報を保存、通知する。
【００２９】
無線ＬＡＮ接続制御部２１１は、インフラストラクチャ接続情報管理部２１２と通信して、無線ＬＡＮアクセスポイントＡ  １２０との接続に必要なインフラストラクチャ接続情報を取得、保存する。無線ＬＡＮ接続制御部２１１は、また、アドホック接続情報管理部２０３と通信して、被接続機器１００との接続に必要なアドホック接続情報を取得、保存する。また、無線ＬＡＮ接続制御部２１１は、ネットワークインターフェイス部１１１を、無線ＬＡＮアクセスポイントＡ  １２０および被接続機器１００と無線ＬＡＮ接続させる。このため、無線ＬＡＮ接続制御部２１１は、無線ＬＡＮ接続／切断要求を送信し、かつ、接続機器１１０のネットワーク接続情報を送受信するために、被接続機器１００とネットワーク接続情報／ネットワーク接続状態を通信する。無線ＬＡＮ接続制御部２１１は、また、被接続機器１００とのネットワーク接続結果を送受信するため、無線ＬＡＮアクセスポイントＡ  １２０とインフラストラクチャ接続情報／ネットワーク接続状態を通信する。
【００３０】
ネットワークインターフェイス部１０１は、接続管理アプリケーション１０２から受信した無線ＬＡＮ接続／切断要求を無線ＬＡＮアクセスポイントＡ  １２０、または、接続機器１１０へ送信する。さらに、ネットワーク接続情報を接続機器１１０へ、ネットワーク接続結果を無線ＬＡＮアクセスポイントＡ  １２０へ送信する。また、無線ＬＡＮアクセスポイントＡ  １２０、または、接続機器１１０から無線ＬＡＮ接続／切断要求を受信した場合、無線ＬＡＮの接続／切断を実行後に応答を返信する。ネットワーク接続情報およびネットワーク接続結果を受信した場合、データを接続管理アプリケーション１０２へ送信する。
【００３１】
ネットワークインターフェイス部１１１は、接続管理アプリケーション１１２から受信した無線ＬＡＮ接続／切断要求を無線ＬＡＮアクセスポイントＡ  １２０、または、被接続機器１００へ送信する。さらに、ネットワーク接続情報を被接続機器１００へ、ネットワーク接続結果を無線ＬＡＮアクセスポイントＡ  １２０へ送信する。また、無線ＬＡＮアクセスポイントＡ  １２０、または、被接続機器１００から無線ＬＡＮ接続／切断要求を受信した場合、無線ＬＡＮの接続／切断を実行後に応答を返信する。ネットワーク接続情報およびネットワーク接続結果を受信した場合、データを接続管理アプリケーション１１２へ送信する。
【００３２】
次に、本発明の第１の実施の形態の動作について、説明する。
【００３３】
概略の手順は次の通りである。
・被接続機器１００と無線ＬＡＮアクセスポイントＡ  １２０とをインフラストラクチャ接続し、無線ＬＡＮアクセスポイントＡ  １２０とのインフラストラクチャ接続情報を被接続機器１００に保存する。
・被接続機器１００と無線ＬＡＮアクセスポイントＡ  １２０とのインフラストラクチャ接続を切断する。
・被接続機器１００と接続機器１１０とをアドホック接続する。
・被接続機器１００から無線ＬＡＮアクセスポイントＡ  １２０とのインフラストラクチャ接続情報を取得し、接続機器１１０に保存する。
・被接続機器１００と接続機器１１０とのアドホック接続を切断する。
・接続機器１１０と無線ＬＡＮアクセスポイントＡ  １２０とを、接続機器１００から取得したインフラストラクチャ接続情報を使って、インフラストラクチャ接続する。
・被接続機器１００と無線ＬＡＮアクセスポイントＡ  １２０とをインフラストラクチャ接続する。
【００３４】
詳細な手順については、図３、図４ａ、図４ｂ、図４ｃ、図４ｄを参照して説明する。
【００３５】
図３において、被接続機器１００と無線ＬＡＮアクセスポイントＡ  １２０とをインフラストラクチャ接続し、無線ＬＡＮアクセスポイントＡ  １２０とのインフラストラクチャ接続情報を被接続機器１００に保存する手順を示す。
【００３６】
先ず、操作者９００は、接続管理アプリケーション１０２を操作して、あらかじめ用意してあったインフラストラクチャ接続情報を入力する（ネットワーク接続情報入力Ａ１）。
【００３７】
接続管理アプリケーション１０２では、無線ＬＡＮ接続制御部２０１が入力されたインフラストラクチャ接続情報を受信する。無線ＬＡＮ接続制御部２０１は、受信したインフラストラクチャ接続情報をもとに、ネットワークインターフェイス部１０１へ接続要求信号３００を送信する。ネットワークインターフェイス部１０１は、接続要求信号３００に応じて無線ＬＡＮアクセスポイントＡ  １２０へ接続要求信号３０１を送信する。
【００３８】
無線ＬＡＮアクセスポイントＡ  １２０は、接続要求信号３０１に応じて被接続機器１００とインフラストラクチャ接続し（ネットワーク接続Ａ２）、その確認として被接続機器１００へ接続応答信号３０２を送信する。
【００３９】
被接続機器１００では、ネットワークインターフェイス部１０１が接続応答信号３０２を受信する。ネットワークインターフェイス部１０１は、接続応答信号３０２に応じて無線ＬＡＮ接続制御部２０１へ接続応答信号３０３を送信する。無線ＬＡＮ接続制御部２０１は、接続応答信号３０３を受信し、被接続機器１００と無線ＬＡＮアクセスポイントＡ  １２０とがインフラストラクチャ接続されたことを確認する。
【００４０】
無線ＬＡＮ接続制御部２０１は、無線ＬＡＮアクセスポイントＡ  １２０とのインフラストラクチャ接続情報を保存するため、インフラストラクチャ接続情報管理部２０２へ接続情報保存要求信号３０４を送信する。インフラストラクチャ接続情報管理部２０２は、接続情報保存要求信号３０４に応じてインフラストラクチャ接続情報を保存し（接続情報保存Ａ３）、その確認として無線ＬＡＮ接続制御部２０１へ接続情報保存応答信号３０５を送信する。
【００４１】
図４ａ、図４ｂ、図４ｃ、図４ｄにおいて、接続機器１１０と被接続装置１００とをインフラストラクチャ接続する手順を示す。
【００４２】
まず、図４ａを参照する。
【００４３】
操作者９００は、接続管理アプリケーション１０２を操作して、接続機器１１０と被接続装置１００との接続のための動作を開始させる（接続開始Ｂ１）。
【００４４】
先ず、被接続機器１００と無線ＬＡＮアクセスポイントＡ  １２０とのインフラストラクチャ接続を切断する手順を示す。
【００４５】
接続管理アプリケーション１０２では、無線ＬＡＮ接続制御部２０１が、前記動作開始により、ネットワークインターフェイス部１０１へ現在接続しているインフラストラクチャ接続の切断要求信号４００を送信する。ネットワークインターフェイス部１０１は、切断要求信号４００に応じて無線ＬＡＮアクセスポイントＡ  １２０へ切断要求信号４０１を送信する。
【００４６】
無線ＬＡＮアクセスポイントＡ  １２０は、切断要求信号４０１に応じてインフラストラクチャ接続を切断し（ネットワーク切断Ｂ２）、その確認として被接続機器１００へ切断応答信号４０２を送信する。
【００４７】
被接続機器１００では、ネットワークインターフェイス部１０１が切断応答信号４０２を受信する。ネットワークインターフェイス部１０１は、切断応答信号４０２に応じて接続管理アプリケーション１０２へ切断応答信号４０３を送信する。接続管理アプリケーション１０２では、無線ＬＡＮ接続制御部２０１が切断応答信号４０３を受信し、インフラストラクチャ接続の切断を確認する。
【００４８】
次に、被接続機器１００と接続機器１１０とをアドホック接続する手順を示す。
【００４９】
無線ＬＡＮ接続制御部２０１は、接続機器１１０とアドホック接続するためのアドホック接続情報を取得するため、アドホック接続情報管理部２０３へ接続情報取得要求信号４０４を送信する。アドホック接続情報管理部２０３は、接続情報取得要求信号４０４に応じてアドホック接続情報を取得し（接続情報取得Ｂ３）、その確認として無線ＬＡＮ接続制御部２０１へ接続情報取得応答信号４０５を送信する。
【００５０】
無線ＬＡＮ接続制御部２０１は、取得したアドホック接続情報を元に、ネットワークインターフェイス部１０１へ接続要求信号４０６を送信する。ネットワークインターフェイス部１０１は、接続要求信号４０６に応じて接続機器１１０とアドホック接続が可能な待機状態となり（ネットワーク接続Ｂ４）、その確認として接続管理アプリケーション１０２へ接続応答信号４０７を送信する。接続管理アプリケーション１０２では、無線ＬＡＮ接続制御部２０１が接続応答信号４０７を受信する。接続管理アプリケーション１０２は、接続機器１１０とのアドホック接続が確立するまで待つ。
【００５１】
図４ｂを参照する。
【００５２】
一方、操作者９０１は、接続管理アプリケーション１１２を操作して、被接続機器１００と接続機器１１０との接続のための動作を開始させる（接続開始Ｂ５）。
【００５３】
接続管理アプリケーション１１２では、無線ＬＡＮ接続制御部２１１が、前記動作開始により、被接続機器１００とアドホック接続するためのアドホック接続情報を取得するため、アドホック接続情報管理部２１３へ接続情報取得要求信号４０８を送信する。アドホック接続情報管理部２１３は、接続情報取得要求信号４０８に応じてアドホック接続情報を取得し（接続情報取得Ｂ６）、その確認として無線ＬＡＮ接続制御部２１１へ接続情報取得応答信号４０９を送信する。
【００５４】
無線ＬＡＮ接続制御部２１１は、取得したアドホック接続情報を元に、ネットワークインターフェイス部１１１へ接続要求信号４１０を送信する。ネットワークインターフェイス部１１１は、接続要求信号４１０に応じて被接続機器１００へ接続要求信号４１１を送信する。
【００５５】
被接続機器１００では、ネットワークインターフェイス部１０１が接続要求信号４１１を受信する。ネットワークインターフェイス部１０１は、接続要求信号４１１に応じて接続機器１１０とのアドホック接続を確立し（ネットワーク接続Ｂ７）、その確認として接続機器１１０へ接続応答信号４１２を送信する。
【００５６】
接続機器１１０では、ネットワークインターフェイス部１１１が接続応答信号４１２を受信する。ネットワークインターフェイス部１１１は、接続応答信号４１２に応じて接続管理アプリケーション１１２へ接続応答信号４１３を送信する。接続管理アプリケーション１１２では、無線ＬＡＮ接続制御部２１１が接続応答信号４１３を受信し、アドホック接続の確立を確認する。
【００５７】
次に、被接続機器１００から無線ＬＡＮアクセスポイントＡ  １２０とのインフラストラクチャ接続情報を取得し、接続機器１１０に保存する手順を示す。
【００５８】
無線ＬＡＮ接続制御部２１１は、被接続機器１００から無線ＬＡＮアクセスポイントＡ  １２０とのインフラストラクチャ接続情報を取得するため、ネットワークインターフェイス部１１１へ接続情報取得要求信号４１４を送信する。ネットワークインターフェイス部１１１は、接続情報取得要求信号４１４に応じて被接続機器１００へ接続情報取得要求信号４１５を送信する。
【００５９】
被接続機器１００では、ネットワークインターフェイス部１０１が接続情報取得要求信号４１５を受信する。ネットワークインターフェイス部１０１は、接続情報取得要求信号４１５に応じて接続管理アプリケーション１０２へ接続情報取得要求信号４１６を送信する。接続管理アプリケーション１０２では、無線ＬＡＮ接続制御部２０１が接続情報取得要求信号４１６を受信する。
【００６０】
無線ＬＡＮ接続制御部２０１は、無線ＬＡＮアクセスポイントＡ  １２０とのインフラストラクチャ接続情報を取得するため、接続情報取得要求信号４１６に応じてインフラストラクチャ接続情報管理部２０２へ接続情報取得要求信号４１７を送信する。インフラストラクチャ接続情報管理部２０２は、接続情報取得要求信号４１７に応じてインフラストラクチャ接続情報を取得し（接続情報取得Ｂ８）、その確認として無線ＬＡＮ接続制御部２０１へ接続情報取得応答信号４１８を送信する。
【００６１】
無線ＬＡＮ接続制御部２０１は、無線ＬＡＮアクセスポイントＡ  １２０のインフラストラクチャ接続情報を接続機器１１０へ通知するため、ネットワークインターフェイス部１０１へインフラストラクチャ接続情報４１９を送信する。ネットワークインターフェイス部１０１は、インフラストラクチャ接続情報４１９を転送する形で接続機器１１０へインフラストラクチャ接続情報４２０を送信する。
【００６２】
接続機器１１０では、ネットワークインターフェイス部１１１がインフラストラクチャ接続情報４２０を受信する。ネットワークインターフェイス部１１１は、インフラストラクチャ接続情報４２０を転送する形で接続管理アプリケーション１１２へインフラストラクチャ接続情報４２１を送信する。接続管理アプリケーション１１２では、無線ＬＡＮ接続制御部２１１がインフラストラクチャ接続情報４２１を受信する。
【００６３】
図４ｃを参照する。
【００６４】
無線ＬＡＮ接続制御部２１１は、被接続機器１００から取得したインフラストラクチャ接続情報を保存するため、インフラストラクチャ接続情報管理部２１２へ接続情報保存要求信号４２２を送信する。インフラストラクチャ接続情報管理部２１２は、接続情報保存要求信号４２２に応じてインフラストラクチャ接続情報を保存し（接続情報保存Ｂ９）、その確認として無線ＬＡＮ接続制御部２１１へ接続情報保存応答信号４２３を送信する。
【００６５】
次に、被接続機器１００と接続機器１１０とのアドホック接続を切断する手順を示す。
【００６６】
無線ＬＡＮ接続制御部２１１は、現在接続しているアドホック通信を切断するため、ネットワークインターフェイス部１１１へ切断要求信号４２４を送信する。ネットワークインターフェイス部１１１は、切断要求信号４２４に応じて被接続機器１００へ切断要求信号４２５を送信する。その後、無線ＬＡＮ接続制御部２１１は、被接続機器１００とアドホック接続が切断するまで待つ。
【００６７】
被接続機器１００では、ネットワークインターフェイス部１０１と無線ＬＡＮ接続制御部２０１が切断要求信号４２５を受信する。ネットワークインターフェイス部１０１は、切断要求信号４２５に応じてアドホック接続を切断し（ネットワーク切断Ｂ１０）、その確認として接続機器１１０へ切断応答信号４２６を送信する。
【００６８】
接続機器１１０では、ネットワークインターフェイス部１１１が切断応答信号４２６を受信する。ネットワークインターフェイス部１１１は、切断応答信号４２６に応じて接続管理アプリケーション１１２へ切断応答信号４２７を送信する。接続管理アプリケーション１１２では、無線ＬＡＮ接続制御部２１１が切断応答信号４２７を受信し、アドホック接続の切断を確認する。
【００６９】
次に、接続機器１１０と無線ＬＡＮアクセスポイントＡ  １２０とを、接続機器１００から取得したインフラストラクチャ接続情報を使って、インフラストラクチャ接続する手順を示す。
【００７０】
無線ＬＡＮ接続制御部２１１は、被接続機器１００から取得したインフラストラクチャ接続情報を使ってインフラストラクチャ接続するため、インフラストラクチャ接続情報管理部２１２へ接続情報取得要求信号４２８を送信する。インフラストラクチャ接続情報管理部２１２は、接続情報取得要求信号４２８に応じてインフラストラクチャ接続情報を取得し（接続情報取得Ｂ１１）、その確認として無線ＬＡＮ接続制御部２１１へ接続情報取得応答信号４２９を送信する。
【００７１】
無線ＬＡＮ接続制御部２１１は、無線ＬＡＮアクセスポイントＡ  １２０と接続するため、ネットワークインターフェイス部１１１へ接続要求信号４３０を送信する。ネットワークインターフェイス部１１１は、接続要求信号４３０に応じて無線ＬＡＮアクセスポイントＡ  １２０へ接続要求信号４３１を送信する。
【００７２】
無線ＬＡＮアクセスポイントＡ  １２０は、接続要求信号４３１に応じてインフラストラクチャ接続し（ネットワーク接続Ｂ１２）、その確認として接続機器１１０へ接続応答信号４３２を送信する。
【００７３】
接続機器１１０では、ネットワークインターフェイス部１１１が接続応答信号４３２を受信する。ネットワークインターフェイス部１１１は、接続応答信号４３２に応じて接続管理アプリケーション１１２へ接続応答信号４３３を送信する。接続管理アプリケーション１１２では、無線ＬＡＮ接続制御部２１１が接続応答信号４３３を受信する。接続管理アプリケーション１１２は、被接続機器１００とインフラストラクチャ接続できるまで待つ。
【００７４】
次に、被接続機器１００と無線ＬＡＮアクセスポイントＡ  １２０とをインフラストラクチャ接続する手順を示す。
【００７５】
図４ｄを参照する。
【００７６】
接続機器１１０とのアドホック接続の切断を待っていた被接続機器１００では、無線ＬＡＮ接続制御部２０１が接続機器１１０からのアドホック接続の切断を確認後、ネットワークインターフェイス部１０１へアドホック接続の切断要求信号４３４を送信する。ネットワークインターフェイス部１０１は、切断要求信号４３４に応じてアドホック接続を切断し（ネットワーク切断Ｂ１３）、その確認として接続管理アプリケーション１０２へ切断応答信号４３５を送信する。接続管理アプリケーション１０２では、無線ＬＡＮ接続制御部２０１が切断応答信号４３５を受信する。
【００７７】
無線ＬＡＮ接続制御部２０１は、アドホック接続前に接続していた無線ＬＡＮアクセスポイントＡ  １２０とのインフラストラクチャ接続情報を取得するため、インフラストラクチャ接続情報管理部２０２へ接続情報取得要求信号４３６を送信する。インフラストラクチャ接続情報管理部２０２は、接続情報取得要求信号４３６に応じてインフラストラクチャ接続情報を取得し（接続情報取得Ｂ１４）、その確認として無線ＬＡＮ接続制御部２０１へ接続情報取得応答信号４３７を送信する。
【００７８】
無線ＬＡＮ接続制御部２０１は、ネットワークインターフェイス部１０１へ接続要求信号４３８を送信し、ネットワークインターフェイス部１０１は、接続要求信号４３８に応じて無線ＬＡＮアクセスポイントＡ  １２０へ接続要求信号４３９を送信する。
【００７９】
無線ＬＡＮアクセスポイントＡ  １２０は、接続要求信号４３９に応じてインフラストラクチャ接続し（ネットワーク接続Ｂ１５）、その確認として被接続機器１００へ接続応答信号４４０を送信する。
【００８０】
被接続機器１００では、ネットワークインターフェイス部１０１が接続応答信号４４０を受信する。ネットワークインターフェイス部１０１は、接続応答信号４４０に応じて接続管理アプリケーション１０２へ接続応答信号４４１を送信する。接続管理アプリケーション１０２では、無線ＬＡＮ接続制御部２０１が接続応答信号４４１を受信する。
【００８１】
被接続機器１００との無線ＬＡＮ接続を待っていた接続機器１１０では、無線ＬＡＮ接続制御部２１１が、被接続機器１００と接続機器１１０が接続できたことを確認するため、ネットワークインターフェイス部１１１へ接続完了確認要求信号４４２を送信する。ネットワークインターフェイス部１１１は、接続完了確認要求信号４４２に応じて無線ＬＡＮアクセスポイントＡ  １２０へ接続完了確認要求信号４４３を送信する。
【００８２】
無線ＬＡＮアクセスポイントＡ  １２０は、接続完了確認要求信号４４３に応じて被接続機器１００へ接続完了確認要求信号４４４を送信する。
【００８３】
被接続機器１００では、ネットワークインターフェイス部１０１が接続完了確認信号４４４を受信する。ネットワークインターフェイス部１０１は、接続完了確認信号４４４に応じて接続管理アプリケーション１０２へ接続完了確認要求信号４４５を送信する。接続管理アプリケーション１０２では、無線ＬＡＮ接続制御部２０１が接続完了確認要求信号４４５を受信する。
【００８４】
無線ＬＡＮ接続制御部２０１は、操作者９００へ被接続機器と接続機器が接続完了したことを通知するため、接続完了信号４４６を送信し、また、ネットワークインターフェイス部１０１へ接続完了確認応答信号４４７を送信する。ネットワークインターフェイス部１０１は、接続完了確認応答信号４４７に応じて無線ＬＡＮアクセスポイントＡ  １２０へ接続完了確認応答信号４４８を送信する。
【００８５】
無線ＬＡＮアクセスポイントＡ  １２０は、接続完了確認応答信号４４８に応じて接続機器１１０へ接続完了確認応答信号４４９を送信する。
【００８６】
接続機器１１０では、ネットワークインターフェイス部１１１が接続完了確認応答信号４４９を受信する。ネットワークインターフェイス部１１１は、接続完了確認応答信号４４９に応じて接続管理アプリケーション１１２へ接続完了確認応答信号４５０を送信する。接続管理アプリケーション１１２では、操作者３０１へ被接続機器と接続機器が接続完了したことを通知するため、接続完了信号４５１を送信する。
【００８７】
以上のように、本実施の形態において、先ず、被接続機器が無線ＬＡＮアクセスポイントに接続されている状態から、接続機器が、被接続機器にアドホック接続されて、被接続機器が接続されていた無線ＬＡＮアクセスポイントのインフラストラクチャ接続情報を受信する。そして、接続機器が、その情報をもとに被接続機器が接続されていた無線ＬＡＮアクセスポイントに接続され、また、被接続機器もその無線ＬＡＮアクセスポイントに接続される。すなわち、被接続機器が接続されている無線ＬＡＮアクセスポイントのインフラストラクチャ接続情報を入手し、接続機器に入力することなしに、インフラストラクチャ接続情報を接続機器に設定することが可能となる。これにより、無線ＬＡＮ通信機器の通信インターフェイスを１つにできるので、無線ＬＡＮ通信機器の回路、部品、制御部での処理、さらに、製造工数、保守部品、保守工数、およびこれらに伴うコストを削減することが可能となる。
【００８８】
本発明の第２の実施の形態として、無線ＬＡＮアクセスポイントに接続されている被接続機器と、接続機器が接続する別の無線ＬＡＮアクセスポイントとを接続させる場合について、図面を参照して詳細に説明する。
【００８９】
本発明の第２の実施の形態のネットワーク構成は、本発明の第１の実施の形態のものと同じである。
【００９０】
本発明の第２の実施の形態の動作について、説明する。
【００９１】
概略の手順は次の通りである。
・被接続機器１００と無線ＬＡＮアクセスポイントＡ  １２０とのインフラストラクチャ接続を切断する。
・被接続機器１００を接続機器１１０とのアドホック接続への待機状態にする。
・接続機器１１０と無線ＬＡＮアクセスポイントＢ  １３０とをインフラストラクチャ接続し、無線ＬＡＮアクセスポイントＢ  １３０とのインフラストラクチャ接続情報を接続機器１１０に保存する。
・被接続機器１１０と無線ＬＡＮアクセスポイントＢ  １３０とのインフラストラクチャ接続を切断する。
・接続機器１００と接続機器１１０とのアドホック接続を確立する。
・接続機器１１０から無線ＬＡＮアクセスポイントＢ  １３０とのインフラストラクチャ接続情報を取得し、被接続機器１００に保存する。
・被接続機器１００と接続機器１１０とのアドホック接続を切断する。
・接続機器１１０と無線ＬＡＮアクセスポイントＢ  １３０とをインフラストラクチャ接続する。
・接続機器１００と無線ＬＡＮアクセスポイントＢ  １３０とを、接続機器１１０から取得したインフラストラクチャ接続情報を使って、無線ＬＡＮ接続する。
【００９２】
詳細な手順については、図５ａ、図５ｂ、図５ｃ、図５ｄ、図５ｅを参照して説明する。
【００９３】
まず、図５ａを参照する。
【００９４】
操作者９００は、接続管理アプリケーション１１２を操作して、被接続機器１００と接続機器１１０との接続のための動作を開始させる（接続開始Ｃ１）。
【００９５】
先ず、被接続機器１００と無線ＬＡＮアクセスポイントＡ  １２０とのインフラストラクチャ接続を切断する手順を示す。
【００９６】
接続管理アプリケーション１０２では、無線ＬＡＮ接続制御部２０１が、前記動作開始により、ネットワークインターフェイス部１０１へ、現在接続しているインフラストラクチャ接続の切断要求信号５００を送信する。ネットワークインターフェイス部１０１は、切断要求信号５００に応じて無線ＬＡＮアクセスポイントＡ  １２０へ切断要求信号５０１を送信する。
【００９７】
無線ＬＡＮアクセスポイントＡ  １２０は、切断要求信号５０１に応じてインフラストラクチャ接続を切断し（ネットワーク切断Ｃ２）、その確認として被接続機器１００へ切断応答信号５０２を送信する。
【００９８】
被接続機器１００では、ネットワークインターフェイス部１０１が切断応答信号５０２を受信する。ネットワークインターフェイス部１０１は、切断応答信号５０２に応じて接続管理アプリケーション１０２へ切断応答信号５０３を送信する。接続管理アプリケーション１０２では、無線ＬＡＮ接続制御部２０１が切断要求信号５０３を受信し、インフラストラクチャ接続の切断を確認する。
【００９９】
次に、被接続機器１００を接続機器１１０とアドホック接続が可能な待機状態にする手順を示す。
【０１００】
無線ＬＡＮ接続制御部２０１は、接続機器１１０とアドホック接続するためのアドホック接続情報を取得するため、アドホック接続情報管理部２０３へ接続情報取得要求信号５０４を送信する。アドホック接続情報管理部２０３は、接続情報取得要求信号Ｃ７に応じてアドホック接続情報を取得し（接続情報取得Ｃ３）、その確認として無線ＬＡＮ接続制御部２０１へ接続情報取得応答信号５０５を送信する。
【０１０１】
無線ＬＡＮ接続制御部２０１は、取得したアドホック接続情報を元に、ネットワークインターフェイス部１０１へ接続要求信号５０６を送信する。ネットワークインターフェイス部１０１は、接続要求信号５０６に応じて接続機器１１０とアドホック接続が可能な待機状態となり（ネットワーク接続Ｃ４）、その確認として接続管理アプリケーション１０２へ接続応答信号５０７を送信する。接続管理アプリケーション１０２では、無線ＬＡＮ接続制御部２０１が、接続応答信号５０７を受信する。接続管理アプリケーション１０２は、接続機器１１０とアドホック接続するまで待つ。
【０１０２】
次に、接続機器１１０と無線ＬＡＮアクセスポイントＢ  １３０とをインフラストラクチャ接続し、無線ＬＡＮアクセスポイントＢ  １３０とのインフラストラクチャ接続情報を接続機器１１０に保存する手順を示す。
【０１０３】
図５ｂを参照する。
【０１０４】
操作者９０１は、接続管理アプリケーション１１２を操作して、あらかじめ用意してあったインフラストラクチャ接続情報を入力する（ネットワーク接続情報入力Ｃ５）。
【０１０５】
接続管理アプリケーション１１２では、無線ＬＡＮ接続制御部２１１がインフラストラクチャ接続情報を受信する。
【０１０６】
無線ＬＡＮ接続制御部２１１では、入力されたインフラストラクチャ接続情報でインフラストラクチャ接続するため、ネットワークインターフェイス部１１１へ接続要求信号５０８を送信する。ネットワークインターフェイス部１１１は、接続要求信号５０８に応じて無線ＬＡＮアクセスポイントＢ  １３０へ接続要求信号５０９を送信する。
【０１０７】
無線ＬＡＮアクセスポイントＢ  １３０は、接続要求信号５０９に応じてインフラストラクチャ接続し（ネットワーク接続Ｃ６）、その確認として接続機器１１０へ接続応答信号５１０を送信する。
【０１０８】
接続機器１１０では、ネットワークインターフェイス部１１１が接続応答信号５１０を受信する。ネットワークインターフェイス部１１１は、接続応答信号５１０に応じて接続管理アプリケーション１１２へ接続応答信号５１１を送信する。接続管理アプリケーション１１２では、無線ＬＡＮ接続制御部２１１が接続応答信号５１１を受信する。
【０１０９】
無線ＬＡＮ接続制御部２１１は、操作者９００が入力したインフラストラクチャ接続情報を保存するため、インフラストラクチャ接続情報管理部２１２へ接続情報保存要求信号５１２を送信する。インフラストラクチャ接続情報管理部２１２は、接続情報保存要求信号５１２に応じてインフラストラクチャ接続情報を保存し（接続情報保存Ｃ７）、その確認として無線ＬＡＮ接続制御部２１１へ接続情報保存応答信号５１３を送信する。
【０１１０】
次に、被接続機器１１０と無線ＬＡＮアクセスポイントＢ  １３０とのインフラストラクチャ接続を切断する手順を示す。
【０１１１】
無線ＬＡＮ接続制御部２１１は、接続したインフラストラクチャ接続を切断するため、ネットワークインターフェイス部１１１へ切断要求信号５１４を送信する。ネットワークインターフェイス部１１１は、切断要求信号５１４に応じて無線ＬＡＮアクセスポイントＢ  １３０へ切断要求信号５１５を送信する。
【０１１２】
無線ＬＡＮアクセスポイントＢ  １３０は、切断要求信号５１５に応じてインフラストラクチャ接続を切断し（ネットワーク切断Ｃ８）、その確認として接続機器１１０へ切断応答信号５１６を送信する。
【０１１３】
接続機器１１０では、ネットワークインターフェイス部１１１が切断応答信号５１６を受信する。ネットワークインターフェイス部１１１は、切断応答信号５１６に応じて接続管理アプリケーション１１２へ切断応答信号５１７を送信する。接続管理アプリケーション１１２では、無線ＬＡＮ接続制御部２１１が切断応答信号５１７を受信し、インフラストラクチャ接続の切断を確認する。
【０１１４】
次に、接続機器１００と接続機器１１０とのアドホック接続を確立する手順を示す。
【０１１５】
図５ｃを参照する。
【０１１６】
無線ＬＡＮ接続制御部２１１は、被接続機器１００とアドホック接続するためのアドホック接続情報を取得するため、アドホック接続情報管理部２１３へ接続情報取得要求信号５１８を送信する。アドホック接続情報管理部２１３は、接続情報取得要求信号５１８に応じて接続情報を取得し（接続情報取得Ｃ９）、その確認として無線ＬＡＮ接続制御部２１１へ接続情報取得応答信号５１９を送信する。
【０１１７】
無線ＬＡＮ接続制御部２１１は、取得したアドホック接続情報を元に、ネットワークインターフェイス部１１１へ接続要求信号５２０を送信する。ネットワークインターフェイス部１１１は、接続要求信号５２０に応じて被接続機器１００へ接続要求信号５２１を送信する。
【０１１８】
被接続機器１００では、ネットワークインターフェイス部１０１が接続要求信号５２１を受信する。ネットワークインターフェイス部１０１は、接続要求信号５２１に応じてアドホック接続を確立し（ネットワーク接続Ｃ１０）、その確認として接続機器１１０へ接続応答信号５２２を送信する。
【０１１９】
接続機器１１０では、ネットワークインターフェイス部１１１が接続応答信号５２２を受信する。ネットワークインターフェイス部１１１は、接続応答信号５２２に応じて接続管理アプリケーション１１２へ接続応答信号５２３を送信する。接続管理アプリケーション１１２では、無線ＬＡＮ接続制御部２１１が接続応答信号５２３を受信し、アドホック接続の確立を確認する。
【０１２０】
接続機器１１０から無線ＬＡＮアクセスポイントＢ  １３０とのインフラストラクチャ接続情報を取得し、被接続機器１００に保存する手順を示す。
【０１２１】
無線ＬＡＮ接続制御部２１１は、無線ＬＡＮアクセスポイントＢ  １３０のインフラストラクチャ接続情報を取得するため、インフラストラクチャ接続情報管理部１１２へ接続情報取得要求信号５２４を送信する。インフラストラクチャ接続情報管理部１１２は、接続情報取得要求信号５２４に応じてインフラストラクチャ接続情報を取得し（接続情報取得Ｃ１１）、その確認として無線ＬＡＮ接続制御部２１１へ接続情報取得応答信号５２５を送信する。
【０１２２】
無線ＬＡＮ接続制御部２１１は、被接続機器１００へ無線ＬＡＮアクセスポイントＢ  １３０とのインフラストラクチャ接続情報を通知するため、ネットワークインターフェイス部１１１へインフラストラクチャ接続情報５２６を送信する。ネットワークインターフェイス部１１１は、インフラストラクチャ接続情報５２６を転送する形で被接続機器１００へインフラストラクチャ接続情報５２７を送信する。
【０１２３】
被接続機器１００では、ネットワークインターフェイス部１０１がインフラストラクチャ接続情報５２７を受信する。ネットワークインターフェイス部１０１は、インフラストラクチャ接続情報５２７を転送する形で接続管理アプリケーション１０２へインフラストラクチャ接続情報５２８を送信する。接続管理アプリケーション１０２では、無線ＬＡＮ接続制御部２０１がインフラストラクチャ接続情報５２８を受信する。
【０１２４】
無線ＬＡＮ接続制御部２０１は、接続機器１１０から受信したインフラストラクチャ接続情報を保存するため、インフラストラクチャ接続情報管理部１０２へ接続情報保存要求信号５２９を送信する。インフラストラクチャ接続情報管理部１０２は、接続情報保存要求信号５２９に応じてインフラストラクチャ接続情報を保存し（接続情報保存Ｃ１２）、その確認として無線ＬＡＮ接続制御部２０１へ接続情報保存応答信号５３０を送信する。
【０１２５】
無線ＬＡＮ接続制御部２０１は、接続機器１１０へインフラストラクチャ接続情報の保存完了を通知するため、ネットワークインターフェイス部１１１へ接続情報保存応答信号５３１を送信する。ネットワークインターフェイス部１１１は、接続情報保存応答信号５３１に応じて接続機器１１０へ接続情報保存応答信号５３２を送信する。
【０１２６】
接続機器１１０では、ネットワークインターフェイス部１１１が接続情報保存応答信号５３２を受信する。ネットワークインターフェイス部１１１は、接続情報保存応答信号５３２に応じて接続管理アプリケーション１１２へ接続情報保存応答信号５３３を送信する。接続管理アプリケーション１１２では、無線ＬＡＮ接続制御部２１１が接続情報保存応答信号５３３を受信する。これにより、接続機器１１０は、インフラストラクチャ接続情報が被接続機器１００へ送信されたことを確認する。
【０１２７】
次に、被接続機器１００と接続機器１１０とのアドホック接続を切断する手順を示す。
【０１２８】
図５ｄを参照する。
【０１２９】
無線ＬＡＮ接続制御部２１１は、現在接続しているアドホック接続を切断するため、ネットワークインターフェイス部１１１へ切断要求信号５３４を送信する。ネットワークインターフェイス部１１１は、切断要求信号５３４に応じて被接続機器１００へ切断要求信号５３５を送信する。
【０１３０】
被接続機器１００では、ネットワークインターフェイス部１０１と無線ＬＡＮ接続制御部２０１が切断要求信号５３５を受信する。ネットワークインターフェイス部１０１は、切断要求信号５３５に応じてアドホック接続を切断し（ネットワーク切断Ｃ１３）、その確認として接続機器１１０へ切断応答信号５３６を送信する。
【０１３１】
接続機器１１０では、ネットワークインターフェイス部１１１が切断応答信号５３６を受信する。ネットワークインターフェイス部１１１は、切断応答信号５３６に応じて接続管理アプリケーション１１２へ切断応答信号５３７を送信する。接続管理アプリケーション１１２では、無線ＬＡＮ接続制御部２１１が切断応答信号５３７を受信し、アドホック接続の切断を確認する。
【０１３２】
次に、接続機器１１０と無線ＬＡＮアクセスポイントＢ  １３０とをインフラストラクチャ接続する手順を示す。
【０１３３】
無線ＬＡＮ接続制御部２１１は、無線ＬＡＮアクセスポイントＢ  １３０のインフラストラクチャ接続情報を取得するため、インフラストラクチャ接続情報管理部１１２へ接続情報取得要求信号５３８を送信する。インフラストラクチャ接続情報管理部１１２は、接続情報取得要求信号５３８に応じてインフラストラクチャ接続情報を取得し（接続情報取得Ｃ１４）、その確認として無線ＬＡＮ接続制御部２１１へ接続情報取得応答信号５３９を送信する。
【０１３４】
無線ＬＡＮ接続制御部２１１は、ネットワークインターフェイス部１１１へ接続要求信号５４０を送信する。ネットワークインターフェイス部１１１は、接続要求信号５４０に応じて無線ＬＡＮアクセスポイントＢ  １３０へ接続要求信号５４１を送信する。
【０１３５】
無線ＬＡＮアクセスポイントＢ  １３０は、接続要求信号５４１に応じてインフラストラクチャ接続し（ネットワーク接続Ｃ１５）、その確認として接続機器１１０へ接続応答信号５４２を送信する。
【０１３６】
接続機器１１０では、ネットワークインターフェイス部１１１が接続応答信号５４２を受信する。ネットワークインターフェイス部１１１は、接続応答信号５４２に応じて接続管理アプリケーション１１２へ接続応答信号５４３を送信する。接続管理アプリケーション１１２では、無線ＬＡＮ接続制御部２１１が接続応答信号５４３を受信する。その後、無線ＬＡＮ接続制御部２１１は、被接続機器１００とインフラストラクチャ接続するまで待つ。
【０１３７】
次に、接続機器１００と無線ＬＡＮアクセスポイントＢ  １３０とを、接続機器１１０から取得したインフラストラクチャ接続情報を使って、インフラストラクチャ接続する手順を示す。
【０１３８】
図５ｅを参照する。
【０１３９】
接続機器１１０とのアドホック接続の切断を待っていた被接続機器１００では、無線ＬＡＮ接続制御部２０１が接続機器１１０とのアドホック接続の切断を確認後、ネットワークインターフェイス部１０１へアドホック接続の切断要求信号５４４を送信する。ネットワークインターフェイス部１０１は、切断要求信号５４４に応じてアドホック接続を切断し（ネットワーク切断Ｃ１６）、その確認として接続管理アプリケーション１０２へ切断応答信号５４５を送信する。接続管理アプリケーション１０２では、無線ＬＡＮ接続制御部２０１が切断応答信号５４５を受信する。
【０１４０】
無線ＬＡＮ接続制御部２０１は、無線ＬＡＮアクセスポイントＢ  １３０とのインフラストラクチャ接続情報を取得するため、インフラストラクチャ接続情報管理部１０２へ接続情報取得要求信号５４６を送信する。インフラストラクチャ接続情報管理部１０２は、接続情報取得要求信号５４６に応じてインフラストラクチャ接続情報を取得し（接続情報取得Ｃ１７）、その確認として無線ＬＡＮ接続制御部２０１へ接続情報取得応答信号５４７を送信する。
【０１４１】
無線ＬＡＮ接続制御部２０１は、取得したインフラストラクチャ接続情報で無線ＬＡＮアクセスポイントＢ  １３０と接続するため、ネットワークインターフェイス部１０１へ接続要求信号５４８を送信する。ネットワークインターフェイス部１０１は、接続要求信号５４８に応じて無線ＬＡＮアクセスポイントＢ  １３０へ接続要求信号５４９を送信する。
【０１４２】
無線ＬＡＮアクセスポイントＢ  １３０は、接続要求信号５４９に応じてインフラストラクチャ接続し（ネットワーク接続Ｃ１８）、その確認として被接続機器１００へ接続応答信号５５０を送信する。
【０１４３】
被接続機器１００では、ネットワークインターフェイス部１０１が接続応答信号５５０を受信する。ネットワークインターフェイス部１０１は、接続応答信号５５０に応じて接続管理アプリケーション１０２へ接続応答信号５５１を送信する。接続管理アプリケーション１０２では、無線ＬＡＮ接続制御部２０１が接続応答信号５５１を受信する。
【０１４４】
被接続機器１００とのネットワーク接続を待っていた接続機器１１０では、無線ＬＡＮ接続制御部２１１が被接続機器１００と接続機器１１０が接続できたことを確認するため、ネットワークインターフェイス部１１１へ接続完了確認要求信号５５２を送信する。ネットワークインターフェイス部１１１は、接続完了確認要求信号５５２に応じて無線ＬＡＮアクセスポイントＢ  １３０へ接続完了確認要求信号５５３を送信する。
【０１４５】
無線ＬＡＮアクセスポイントＢ  １３０は、接続完了確認要求信号５５３に応じて被接続機器１００へ接続完了確認要求信号５５４を送信する。
【０１４６】
被接続機器１００では、ネットワークインターフェイス部１０１が接続完了確認要求信号５５４を受信する。ネットワークインターフェイス部１０１は、接続完了確認要求信号５５４に応じて接続管理アプリケーション１０２へ接続完了確認要求信号５５５を送信する。接続管理アプリケーション１０２では、無線ＬＡＮ接続制御部２０１が接続完了確認要求信号５５５を受信する。
【０１４７】
無線ＬＡＮ接続制御部２０１は、操作者９００へ被接続機器と接続機器が接続完了したことを通知するため、接続終完了信号５５６を送信し、また、ネットワークインターフェイス部１０１へ接続完了確認応答信号５５７を送信する。ネットワークインターフェイス部１０１は、接続完了確認応答信号５５７に応じて無線ＬＡＮアクセスポイントＢ  １３０へ接続完了確認応答信号５５８を送信する。
【０１４８】
無線ＬＡＮアクセスポイントＢ  １３０は、接続完了確認応答信号５５８に応じて接続機器１１０へ接続完了確認応答信号５５９を送信する。
【０１４９】
接続機器１１０では、ネットワークインターフェイス部１１１が接続完了確認応答信号５５９を受信する。ネットワークインターフェイス部１１１は、接続完了確認応答信号５５９に応じて接続管理アプリケーション１１２へ接続完了確認応答信号５６０を送信する。接続管理アプリケーション１１２では、無線ＬＡＮ接続制御部２１１が接続完了確認応答信号５６０を受信する。
【０１５０】
無線ＬＡＮ接続制御部２１１は、操作者３０１へ被接続機器と接続機器が接続完了したことを通知するため、接続完了信号５６１を送信する。
【０１５１】
以上のように、本実施の形態において、先ず、被接続機器が無線ＬＡＮアクセスポイントに接続され、接続機器が別の無線ＬＡＮアクセスポイントに接続されている。その状態から、被接続機器が、接続機器にアドホック接続されて、接続機器が接続されていた無線ＬＡＮアクセスポイントのインフラストラクチャ接続情報を受信する。そして、被接続機器が、その情報をもとに接続機器が接続されていた無線ＬＡＮアクセスポイントに接続され、また、接続機器もその無線ＬＡＮアクセスポイントに接続される。すなわち、被接続機器が接続されている無線ＬＡＮアクセスポイントのインフラストラクチャ接続情報を入手し、接続機器に入力することなしに、インフラストラクチャ接続情報を接続機器に設定することが可能となる。これにより、無線ＬＡＮ通信機器の通信インターフェイスを１つにできるので、無線ＬＡＮ通信機器の回路、部品、制御部での処理、さらに、製造工数、保守部品、保守工数、およびこれらに伴うコストを削減することが可能となる。
【０１５２】
本発明の第３の実施の形態について、図面を参照して詳細に説明する。
【０１５３】
図６は本発明の第３の実施の形態におけるネットワーク構成を示す図である。
【０１５４】
本ネットワークは、無線ＬＡＮ通信装置６００、無線ＬＡＮ通信装置６１０、および、無線ＬＡＮ通信装置６００と無線ＬＡＮ通信装置６１０とを無線ＬＡＮで接続するための無線ＬＡＮアクセスポイント６２０を含む。
【０１５５】
無線ＬＡＮ通信装置６００が無線ＬＡＮアクセスポイント６２０に接続されている。無線ＬＡＮ通信装置６００はインフラストラクチャ接続情報を保存する。その後、無線ＬＡＮ通信装置６００は無線ＬＡＮアクセスポイント６２０から切断される。次に、無線ＬＡＮ通信装置６１０と無線ＬＡＮ通信装置６００とがアドホック接続される。無線ＬＡＮ通信装置６００は前記インフラストラクチャ接続情報を送信し、無線ＬＡＮ通信装置６１０は前記インフラストラクチャ接続情報を受信する。無線ＬＡＮ通信装置６１０と無線ＬＡＮ通信装置６００とのアドホック接続が切断される。そして、無線ＬＡＮ通信装置６１０は前記インフラストラクチャ接続情報にもとづいて無線ＬＡＮアクセスポイント６２０に接続される。無線ＬＡＮ通信装置６００は前記インフラストラクチャ接続情報にもとづいて無線ＬＡＮアクセスポイント６２０に接続される。
【０１５６】
以上のように、本実施の形態において、先ず、被接続機器が無線ＬＡＮアクセスポイントに接続されている状態から、接続機器が、被接続機器にアドホック接続されて、被接続機器が接続されていた無線ＬＡＮアクセスポイントのインフラストラクチャ接続情報を受信する。そして、接続機器が、その情報をもとに被接続機器が接続されていた無線ＬＡＮアクセスポイントに接続され、また、被接続機器もその無線ＬＡＮアクセスポイントに接続される。すなわち、被接続機器が接続されている無線ＬＡＮアクセスポイントのインフラストラクチャ接続情報を入手し、接続機器に入力することなしに、インフラストラクチャ接続情報を接続機器に設定することが可能となる。これにより、無線ＬＡＮ通信機器の通信インターフェイスを１つにできるので、無線ＬＡＮ通信機器の回路、部品、制御部での処理、さらに、製造工数、保守部品、保守工数、およびこれらに伴うコストを削減することが可能となる。
【産業上の利用可能性】
【０１５７】
本発明は、無線ＬＡＮ通信装置、システム、および方法に利用可能である。
【符号の説明】
【０１５８】
１００  被接続機器
１０１、１１１  ネットワークインターフェイス部
１０２、１１２  接続管理アプリケーション
１１０  接続機器
１２０  無線ＬＡＮアクセスポイントＡ  
１３０  無線ＬＡＮアクセスポイントＢ  
２０１、２１１  無線ＬＡＮ接続制御部
２０２、２１２  インフラストラクチャ接続情報管理部
２０３、２１３  アドホック接続情報管理部
３００、３０１  接続要求信号
３０２、３０３  接続応答信号
３０４  接続情報保存要求信号
３０５  接続情報保存応答信号
Ａ１  ネットワーク接続情報入力
Ａ２  ネットワーク接続
Ａ３  接続情報保存
４００、４０１、４２４、４２５、４３４  切断要求信号
４０２、４０３、４２６、４２７、４３５  切断応答信号
４０４、４０８、４１４、４１５、４１６、４１７、４２８、４３６  接続情報取得要求信号
４０５、４０９、４１８、４２９、４３７  接続情報取得応答信号
４０６、４１０、４１１、４３０、４３１、４３８、４３９  接続要求信号
４０７、４１２、４１３、４３２、４３３、４４０、４４１  接続応答信号
４１９、４２０、４２１  インフラストラクチャ接続情報
４２２  接続情報保存要求信号
４２３  接続情報保存応答信号
４４２、４４３、４４４、４４５  接続完了確認要求信号
４４６、４５１  接続完了信号
４４７、４４８、４４９、４５０  接続完了確認応答信号
Ｂ１、Ｂ５  接続開始
Ｂ２、Ｂ１０、Ｂ１３  ネットワーク切断
Ｂ３、Ｂ６、Ｂ８、Ｂ１１、Ｂ１４  接続情報取得
Ｂ４、Ｂ７、Ｂ１２、Ｂ１５  ネットワーク接続
Ｂ９  接続情報保存
５００、５０１、５１４、５１５、５３４、５３５、５４４  切断要求信号
５０２、５０３、５１６、５１７、５３６、５３７、５４５  切断応答信号
５０４、５１８、５２４、５３８、５４６  接続情報取得要求信号
５０５、５１９、５２５、５３９、５４７  接続情報取得応答信号
５０６、５０８、５０９、５２０、５２１、５４０、５４１、５４８、５４９  接続要求信号
５０７、５１０、５１１、５２２、５２３、５４２、５４３、５５０、５５１  接続応答信号
５１２、５２９  接続情報保存要求信号
５１３、５３０、５３１、５３２、５３３  接続情報保存応答信号
５２６、５２７、５２８  インフラストラクチャ接続情報
５５２、５５３、５５４、５５５  接続完了確認要求信号
５５６、５６１  接続完了信号
５５７、５５８、５５９、５６０  接続完了確認応答信号
Ｃ１  接続開始
Ｃ２、Ｃ８、Ｃ１３、Ｃ１６  ネットワーク切断
Ｃ３、Ｃ９、Ｃ１１、Ｃ１４、Ｃ１７  接続情報取得
Ｃ４、Ｃ６、Ｃ１０、Ｃ１５、Ｃ１８  ネットワーク接続
Ｃ５  ネットワーク接続情報入力
Ｃ７、Ｃ１２  接続情報保存
６００、６１０  無線ＬＡＮ通信装置
６２０  無線ＬＡＮアクセスポイント
９００、９０１  操作者
【図１】
2014068320.tif 000003
【図２】
2014068320.tif 000004
【図３】
2014068320.tif 000005
【図４ａ】
2014068320.tif 000006
【図４ｂ】
2014068320.tif 000007
【図４ｃ】
2014068320.tif 000008
【図４ｄ】
2014068320.tif 000009
【図５ａ】
2014068320.tif 000010
【図５ｂ】
2014068320.tif 000011
【図５ｃ】
2014068320.tif 000012
【図５ｄ】
2014068320.tif 000013
【図５ｅ】
2014068320.tif 000014
【図６】
2014068320.tif 000015